(57)【要約】      （修正有）【課題】送気ポンプを使用せずに空気中の酸素等を水槽内の水に取り込むことが可能であると共に、見た目に綺麗で流水音をも楽しめる多段式観賞用水槽を提供する。【解決手段】少なくとも三以上の水槽が連接され、所要高さの基本の水槽を第一水槽１０ａとして、該第一水槽１０ａには高さを同一とする貯留水槽１０ｂ及び第一水槽１０ａよりも所定高さだけ低い高さの第二水槽１０ｃが連接され、該第二水槽１０ｃ以降に前段水槽よりも次段水槽の高さが徐々に低くなる状態で連接される多段式構造とする。貯留水槽１０ｂの上部には汲上ポンプ装置２０を備え、該汲上ポンプ装置２０は、装置本体の下部に延伸する吸水パイプ２２を備えると共に、側部に第一水槽１０ａ内へ落水する放水口２３を備え、前段水槽と次段水槽との隣接面上部には、前段水槽内の水を次段水槽内へ落水させる水門１４が備えられ、最下段水槽と貯留水槽とが通水パイプ１６により連通した構成となる。【選択図】図１
0003184500.tif 000002
【実用新案登録請求の範囲】
【請求項１】
少なくとも三以上の水槽が連接されてなる観賞用水槽であって、
所要高さを有する基本の水槽を第一水槽として、該第一水槽には高さを同一とする貯留水槽及び第一水槽よりも所定高さだけ低い高さを有する第二水槽が連接され、該第二水槽以降に水槽が連接される場合に、前段水槽よりも次段水槽の高さが徐々に低くなる状態で連接されて成る多段式構造を採用して成り、
前記貯留水槽の上部には汲上ポンプ装置が備えられ、
該汲上ポンプ装置は、装置本体の下部に前記貯留水槽の底面近くまで延伸する吸水パイプを備えると共に、装置本体の側部には前記第一水槽内へ落水する放水口を備えて成り、
前段水槽と次段水槽との隣接面上部には、前段水槽内の水を次段水槽内へ落水させるための水門が備えられ、
最下段水槽と前記貯留水槽とが通水パイプにより連通して成ることを特徴とする多段式観賞用水槽。
【請求項２】
前記前段水槽と次段水槽との隣接面上部に備えられた水門に、落水量調節機能が備えられていることを特徴とする請求項１に記載の多段式観賞用水槽。
【請求項３】
前記多段式観賞用水槽における所定箇所に、灯光装置が装備されていることを特徴とする請求項１または請求項２に記載の多段式観賞用水槽。
【請求項４】
前記多段式観賞用水槽における少なくとも貯留水槽を除いた各水槽の背面が、鏡面仕様となっていることを特徴とする請求項１乃至請求項３のいずれかに記載の多段式観賞用水槽。
【考案の詳細な説明】
【技術分野】
【０００１】
本考案は、観賞用水槽に関し、詳しくは、複数の水槽を多段式に配して水槽内の水を循環させる観賞用水槽に関するものである。
【背景技術】
【０００２】
金魚やメダカなどの観賞魚を飼育すべく、観賞用水槽が用いられている。従来の観賞用水槽としては、ガラスやプラスチックで成形された一槽式の水槽が用いられており、該水槽内には前記観賞魚のほか、本物若しくは疑似的に作られた水草や石などが入れられ、できるだけ自然に近い疑似的な水の世界を創出して、観賞する者に癒しを与えたりしている。
【０００３】
このように水槽内で観賞魚を飼育する場合において、水槽内の水の酸素濃度が少なくなったりするため、空気を水槽内に送るための送気ポンプが取り付けられ、水に気泡を発生させて、水に酸素を取り込むことが行われている。かかる気泡は、観賞魚が生きていくためには必要なものであるが、人工的に作られたものであるため、見た目に綺麗なものでないと共に、前述したような自然に近い疑似的な水の世界を阻害するものであった。
【０００４】
また、水槽内において観賞魚の糞などの浮遊ゴミが発生した場合、水槽内の水を入れ替えたり、水循環式フィルターを用いて除去したりしている。しかしながら、観賞魚は水道水のカルキに弱いため、水を入れ替える場合はカルキ抜きを行う必要があって、大変手間のかかる作業であった。さらに、水循環式フィルターは高価であると共に、定期的にフィルター交換・清掃が必要であって、同様に手間を要するものであった。
【０００５】
【特許文献１】実開平６−６７０９７号公報
【特許文献２】実用新案登録第３０４１６６８号公報
【特許文献２】実用新案登録第３１１１９５３号公報
【考案の開示】
【考案が解決しようとする課題】
【０００６】
そこで本考案は、上記問題点に鑑み、送気ポンプを使用せずに空気中の酸素等を水槽内の水に取り込むことが可能であると共に、見た目に綺麗で流水音をも楽しむことができる観賞用水槽を提供することを課題とするものである。
【課題を解決するための手段】
【０００７】
上記課題を解決するため、考案にかかる多段式観賞用水槽は、少なくとも三以上の水槽が連接されて成り、所要高さを有する基本の水槽を第一水槽として、該第一水槽には高さを同一とする貯留水槽及び第一水槽よりも所定高さだけ低い高さを有する第二水槽が連接され、該第二水槽以降に水槽が連接される場合に、前段水槽よりも次段水槽の高さが徐々に低くなる状態で連接されて成る多段式構造を採用して成り、前記貯留水槽の上部には汲上ポンプ装置が備えられ、該汲上ポンプ装置は、装置本体の下部に前記貯留水槽の底面近くまで延伸する吸水パイプを備えると共に、装置本体の側部には前記第一水槽内へ落水する放水口を備えて成り、前段水槽と次段水槽との隣接面上部には、前段水槽内の水を次段水槽内へ落水させるための水門が備えられ、最下段水槽と前記貯留水槽とが通水パイプにより連通した構成となっている。
【０００８】
また、考案にかかる多段式観賞用水槽は、前記前段水槽と次段水槽との隣接面上部に備えられた水門に、落水量調節機能が備えられている構成を採用することができる。
【０００９】
さらに、本考案にかかる多段式観賞用水槽は、前記多段式観賞用水槽における所定箇所に、灯光装置が装備されている構成を採用し得る。
【００１０】
そしてまた、考案にかかる多段式観賞用水槽は、前記多段式観賞用水槽における少なくとも貯留水槽を除いた各水槽の背面が、鏡面仕様となっている構成を採用することもできる。
【考案の効果】
【００１１】
本考案にかかる多段式観賞用水槽によれば、複数の水槽が多段式に配されることで、水が上段から下段へと自然落水し、その落水時に空気中の酸素等が水に取り込まれるため送気ポンプが不要になると共に、落水時の水の音色が川のせせらぎに似て、聞く者の気持ちをリラックスさせる効果を奏し、さらには、落水によってマイナスイオンが発生して、ストレスの解消に資するといった、従来にない優れた効果を奏するものである。
【００１２】
また、本考案にかかる多段式観賞用水槽によれば、水が常時循環されていることで、水の淀みがなく水槽面に汚れが付着しにくく、見た目に水が常に清潔を保つことが可能であると共に、自然界のバクテリアが繁殖しやすい環境であって、観賞魚の糞など水槽内の浮遊ゴミが該バクテリアによって綺麗に分解されるため、従来のように汚れを除去するためのフィルターが不要となる。
【００１３】
さらに、本考案にかかる多段式観賞用水槽によれば、水槽の上方を開放した状態にしておくことで、空気中の塵や埃が水槽内に入り込んでも同様にバクテリアが分解してくれるため、空気清浄効果を奏すると共に、水槽内の水が自然に空気中へ蒸発することとなって、室内等の加湿効果も奏することとなる。
【図面の簡単な説明】
【００１４】
【図１】本考案にかかる多段式観賞用水槽の実施形態を示す斜視図である。
【図２】本考案にかかる多段式観賞用水槽の実施形態を示す斜視図である。
【図３】本考案にかかる多段式観賞用水槽の実施形態を示す側断面図である。
【考案を実施するための形態】
【００１５】
本考案は、前段水槽よりも次段水槽の高さが徐々に低くなる状態で連接されて成る多段式構造を採用した多段式観賞用水槽１であって、前段水槽内の水を次段水槽内へ落水させつつ循環させることを最大の特徴とする。以下、本考案にかかる多段式観賞用水槽１の実施形態を、図面に基づき説明する。
【００１６】
なお、本考案は、下記の実施形態に示した構成・態様に限定されるものではなく、本考案の技術的思想の要旨に逸脱しない範囲で、任意に変更することができるものである。
【００１７】
図１乃至図３は、本考案にかかる多段式観賞用水槽１の実施形態を示しており、図１及び図２は斜視図、図３は側断面図である。
すなわち、本考案にかかる多段式観賞用水槽１は、少なくとも三以上の水槽１０が多段的に連接されて構成されている。
【００１８】
該水槽１０の具体的な連接構成は、基本の水槽を第一水槽１０ａとして、該第一水槽１０ａに少なくとも貯留水槽１０ｂと第二水槽１０ｃとが連接されており、さらに多くの水槽１０が連接される場合には、それ以降第三水槽１０ｃ、第四水槽１０ｅ・・・と連接されることとなる。なお、図１は全四つの水槽１０により第三水槽１０ｃまで連接された場合を示しており、図２は全五つの水槽１０により第四水槽１０ｅまで連接された場合について示している。
【００１９】
水槽１０の材質については、特に限定はなく、ガラスやプラスチックなどの合成樹脂やガラスなど、一般的に用いられる透明若しくは半透明な素材から成形されている。
また、各水槽１０の形状についても、水槽１０内に水Ｗが貯留可能な形状であれば特に限定はなく、側壁が曲面状に成形された円筒形状や側壁が平面状の多角筒形状、側壁が球面状の略球形状などが考え得る。なお図面では、該水槽１０の形状について、側壁が平面状の四角筒形状とした場合について示している。
【００２０】
基本となる第一水槽１０ａは、所要高さを有し、貯留水槽１０ｂと第二水槽１０ｃの両方に連接した状態に配置される。
【００２１】
貯留水槽１０ｂは、前記第一水槽１０ａと同一の高さを有して成形されており、少なくとも前記第一水槽１０ａに連接する状態に配置されることとなる。該貯留水槽１０ｂの上部には、汲上ポンプ装置２０が備えられており、貯留水槽１０ｂ内に貯留された水Ｗを汲み上げ、第一水槽１０ａ内へ送水するために機能する。
【００２２】
汲上ポンプ装置２０は、装置本体２１と、吸水パイプ２２と、放水口２３とから構成されている。装置本体２１は、前記吸水パイプ２２により貯留水槽１０ｂ内の水Ｗを汲み上げるべく、内部にポンプ構造が内蔵されている。吸水パイプ２２は、貯留水槽１０ｂ内の水Ｗを汲み上げるためのものであって、前記装置本体２１の下部から貯留水槽１０ｂの底面近くまで延伸する状態に備えられている。放水口２３は、前記吸水パイプ２２により汲み上げられた貯留水槽１０ｂ内の水Ｗを第一水槽１０ａ内へ送水するためのものであって、装置本体２１の側部における所定箇所に備えられている。
【００２３】
第二水槽１０ｃは、前記第一水槽１０ａよりも所定高さだけ低い高さを有して成形されており、少なくとも前記第一水槽１０ａに連接する状態に配置されることとなる。
【００２４】
前記第二水槽１０ｃ以降、第三水槽１０ｄ、第四水槽１０ｅ・・・とさらに水槽１０が連接される場合は、前段たる第一水槽１０ａと次段たる第二水槽１０ｃとの高さ関係同様、前段水槽よりも次段水槽の高さが所定高さだけ低くなり、すなわち水槽１０の連接数が増加するにつれ徐々に低くなる状態で、水槽１０同士が連接されることとなる。
【００２５】
前段水槽と次段水槽との隣接面１２における上部には、水門１４が備えられており、前段水槽内の水Ｗを次段水槽内へ落水させるべく機能する。
【００２６】
該水門１４の具体的構造については、水槽１０内に飼育されている観賞魚Ｇが通過できない構造を採用するほかには、特に限定はないが、前段水槽内の水Ｗが次段水槽内へ自然落水すべく、少なくとも次段水槽の水面位置より上方位置に備えられることとなる。
【００２７】
かかる水門１４の構造について、落水量調節機能が備えられている態様が考え得る。かかる落水量調整機能の具体的構造については、前段水槽から次段水槽への落水量を調整することが可能であれば特に限定はないが、例えば、水門１４の水路幅を広狭できるようにしたり、あるいは、水門１４の高さを上下できるようにする構造が考え得る。
【００２８】
最終的に最下段に配置される水槽１０と前記貯留水槽１０ｂとは、通水パイプ１６により連通されている。該通水パイプ１６の具体的構造については、通水可能であって、水槽１０内に飼育されている観賞魚Ｇが通過できない構造であれば、特に限定するものではない。かかる通水パイプ１６を備えることで、最下段水槽内の水Ｗは、貯留水槽１０ｂへ自然送水されることとなる。
【００２９】
以上の通り構成される本考案にかかる多段式観賞用水槽１において、各水槽１０の配列については、特に限定はない。例えば図１に示すように、各水槽１０を直列に配置する態様が考え得るほか、図２に示すように、各水槽１０を屈曲的に配列する態様も可能である。
【００３０】
以上の構成から成る本考案にかかる多段式観賞用水槽１の構成について、図示されてはいないが、灯光装置が装備されている態様が考え得る。かかる灯光装置を装備することにより、水槽１０内を綺麗に照明することができ、特に夜間や暗所における美感向上に資することとなる。なお、該灯光装置の照明色は、好み等に合わせて自由に決定可能である。また、該灯光装置を装備する箇所についても、特に限定はなく、照明効果を発揮し得る最良の箇所を選択して決定されればよい。
【００３１】
また、本考案にかかる多段式観賞用水槽１の構成について、上記同様図示されてはいないが、各水槽１０の背面が鏡面仕様となっている構成が考え得る。かかる鏡面仕様を採用することにより、水槽１０内が鏡面に写し出されることとなって、正面視において奥行感を出すことができると共に、飼育魚Ｇの数を実際よりも多く錯覚させる効果を奏することとなる。なお、該鏡面仕様のための具体的実施態様については、鏡面シートを水槽１０の背面に貼着すれば足りる。かかる鏡面仕様を施す水槽１０については、少なくとも貯留水槽１０ｂを除いた各水槽１０とする。
【００３２】
本考案にかかる多段式観賞用水槽１の使用状態について、以下に順を追って説明する。
（１）貯留水槽１０ｂ内に貯留されている水Ｗは、汲上ポンプ装置２０により吸水パイプ２２を介して汲み上げられ、放水口２３から第一水槽１０ａ内へ滝状に落水するように送水される。かかる汲上ポンプ装置２０から第一水槽１０ａ内へ送水された水Ｗは、落水音を発生すると共に、第一水槽１０ａ内の水Ｗを対流させることとなる。
【００３３】
（２）第一水槽１０ａ内の水Ｗは、水門１４を越えて第二水槽１０ｃ内へ滝状に落水するように送水される。かかる第一水槽１０ａから第二水槽１０ｂ内へ送水された水Ｗは、上記同様、落水音を発生すると共に、第二水槽１０ａ内の水Ｗを対流させることとなる。
【００３４】
（３）第二水槽１０ｃ以降、第三水槽１０ｄ、第四水槽１０ｅ・・・とさらに水槽１０が連接される場合は、上記同様、前段水槽内の水Ｗが水門１４を越えて次段水槽内へ滝状に落水するように送水され、落水音を発生すると共に、次段水槽内の水Ｗを対流させることとなる。
【００３５】
（４）最終的に最下段に配置される水槽１０内に送水された水Ｗは、通水パイプ１６により貯留水槽１０ｂへ自然送水されることとなる。
以上の使用状態により、水Ｗは各水槽１０を対流しながら常に循環されることとなり、水槽１０内のどの箇所にも止水滞留が発生することはない。
【００３６】
なお本考案は、観賞用の水槽であるから、貯留水槽１０ｂ以外の各水槽１０内には、水草Ｇや玉石Ｐ、疑似岩Ｒなどが施され、かつ、観賞魚Ｆが飼育されることとなる。かかる観賞魚Ｇは、水門１４及び通水パイプ１６を通過することができず、したがって水Ｗと一緒に貯留水槽１０ｂ内へ流されることはなく、汲上ポンプ装置２０内に進入する心配はない。
【産業上の利用可能性】
【００３７】
本考案は、各水槽１０を多段式構造により連接することで、各水槽１０間を落水する水Ｗの作用により、送気ポンプを使用せずに空気中の酸素等を水Ｗに取り込むことが可能であると共に、落水が見た目に綺麗で流水音をも楽しむことが可能であって、機械構造の簡素化・水質浄化・空気清浄・加湿・癒しといった優れた作用効果を多く発揮することができるものである。したがって、本考案にかかる多段式観賞用水槽１の産業上の利用可能性は大である。
【符号の説明】
【００３８】
１    多段式観賞用水槽
１０    水槽
１０ａ  第一水槽
１０ｂ  貯留水槽
１０ｃ  第二水槽
１０ｄ  第三水槽
１０ｅ  第四水槽
１２    隣接面
１４    水門
１６    通水パイプ
２０    汲上ポンプ装置
２１    装置本体
２２    吸水パイプ
２３    放水口
Ｆ    観賞魚
Ｇ    水草
Ｐ    玉石
Ｒ    疑似岩
Ｗ    水
【図１】
0003184500.tif 000003
【図２】
0003184500.tif 000004
【図３】
0003184500.tif 000005